(57)【要約】【課題】チェーン構成部品の種類数の低減およびチェーン構成の簡素化を達成するとともに、チェーンの分解・再組立やリンク部品の交換を容易に行うことが可能なチェーンおよびチェーン用のリンク部品を提供すること。【解決手段】第１リンク部品１１０が、プレート部１１１と、プレート部１１１のチェーン幅方向の一側面から突出するピン部１１２と、ピン部１１２からチェーン長手方向に離れた位置に形成され、プレート部１１１の一側面側に開口する孔状または凹状のピン受け部１１３とを一体に有し、チェーン幅方向に対向して配置された第１リンク部品１１０同士が、一方の第１リンク部品１１０のピン受け部１１３に他方の第１リンク部品１１０のピン部１１２を挿入することで互いに回動可能に連結されたチェーン１００。【選択図】図１
2016205505.tif 000002
【特許請求の範囲】
【請求項１】
リンク部品をチェーン長手方向に複数並べて成るリンク列をチェーン幅方向に複数並べ、チェーン幅方向に隣接した前記リンク列同士をチェーン長手方向に半ピッチずらして配置したチェーンであって、
前記複数のリンク部品は、第１リンク部品を含み、
前記第１リンク部品は、プレート部と、前記プレート部のチェーン幅方向の一側面から突出するピン部と、前記ピン部からチェーン長手方向に離れた位置に形成され、前記プレート部の前記一側面側に開口する孔状または凹状のピン受け部とを一体に有し、
チェーン幅方向に対向して配置された前記第１リンク部品同士は、一方の前記第１リンク部品の前記ピン受け部に他方の前記第１リンク部品の前記ピン部を挿入することで互いに回動可能に連結されていることを特徴とするチェーン。
【請求項２】
前記ピン部には、他の前記リンク部品に係合可能な抜け止め部が形成されていることを特徴とする請求項１に記載のチェーン。
【請求項３】
前記第１リンク部品の少なくとも一部は、チェーン高さ方向における前記プレート部の上端縁および下端縁の両側に、スプロケット歯に噛み合い可能なリンク歯が形成されていることを特徴とする請求項１または請求項２に記載のチェーン。
【請求項４】
前記第１リンク部品は、前記プレート部の前記一側面において前記ピン受け部の外周縁から突出する円筒部を一体に有し、
前記円筒部は、チェーン幅方向に対向して配置された前記第１リンク部品の前記ピン部に遊嵌状態で外嵌されることを特徴とする請求項１乃至請求項３のいずれかに記載のチェーン。
【請求項５】
前記第１リンク部品とは別体に形成され、前記ピン部に遊嵌状態で外嵌される円筒部品を更に備えることを特徴とする請求項１乃至請求項３のいずれかに記載のチェーン。
【請求項６】
前記第１リンク部品は、チェーン幅方向に対向して配置された前記第１リンク部品の前記プレート部に接触して前記プレート部間の間隔を規定する位置決め部を、前記ピン部の外周に一体に有していることを特徴とする請求項１乃至請求項５のいずれかに記載のチェーン。
【請求項７】
前記第１リンク部品は、前記プレート部のチェーン幅方向の他側面側に開口する凹状の裏側ピン受け部を、チェーン幅方向に見た場合に前記ピン部に重なる位置に有していることを特徴とする請求項１乃至請求項６のいずれかに記載のチェーン。
【請求項８】
前記複数のリンク部品は、第２リンク部品を含み、
前記第２リンク部品は、プレート部と、前記プレート部のチェーン幅方向の一側面から突出するピン部と、前記ピン部からチェーン長手方向に離れた位置に形成され、前記プレート部の前記一側面側に開口する孔状または凹状のピン受け部とを一体に有し、
前記第２リンク部品の前記ピン部は、前記第１リンク部品の前記裏側ピン受け部に挿入されることを特徴とする請求項７に記載のチェーン。
【請求項９】
チェーン用のリンク部品であって、
プレート部と、前記プレート部のプレート厚み方向の一側面から突出するピン部と、前記プレート部の前記一側面側に開口する孔状または凹状のピン受け部とを一体に有していることを特徴とするチェーン用のリンク部品。
【発明の詳細な説明】
【技術分野】
【０００１】
本発明は、リンク部品をチェーン長手方向に複数並べて成るリンク列をチェーン幅方向に複数並べ、チェーン幅方向に隣接した前記リンク列同士をチェーン長手方向に半ピッチずらして配置したチェーンおよびチェーン用のリンク部品に関する。
【背景技術】
【０００２】
従来、各種リンクプレートをチェーン長手方向に複数並べて成るリンク列をチェーン幅方向に複数並べ、チェーン幅方向に隣接したリンク列同士をチェーン長手方向に半ピッチずらして配置し、各リンクプレートに形成された前後一対のピン孔に連結ピンを挿入することで、チェーン幅方向およびチェーン長手方向に複数並べられたリンクプレートを連結し、チェーン全体として屈曲可能に連結されたチェーンが知られている（例えば特許文献１を参照）。
【先行技術文献】
【特許文献】
【０００３】
【特許文献１】特開平１０−２３８５９７号公報
【発明の概要】
【発明が解決しようとする課題】
【０００４】
ところが、特許文献１に記載のチェーンのように、チェーン幅方向およびチェーン長手方向に複数並べられたリンクプレートを連結するために、各リンクプレートのピン孔に挿入される連結ピンを用いると、チェーン構成部品の種類数が増えるとともに、チェーン構成が複雑になってしまう。
また、上述したように、連結ピンによって複数のリンクプレートを連結しているため、チェーン幅方向におけるリンクプレートの列数やチェーン長手方向におけるチェーンの長さ等のチェーン構成をチェーンの使用状況に応じて変更する場合や、一部のリンクプレートを交換する場合、各リンクプレートのピン孔から連結ピンを抜き出した後、リンクプレートの配置構成を変えたり、リンクプレートを交換する必要があり、これらチェーンの構成変更やリンクプレートの交換に多大な労力を必要とするという問題もある。
【０００５】
そこで、本発明は、これらの問題点を解決するものであり、チェーン構成部品の種類数の低減およびチェーン構成の簡素化を達成するとともに、チェーンの分解・再組立やリンク部品の交換を容易に行うことが可能なチェーンおよびチェーン用のリンク部品を提供することを目的とするものである。
【課題を解決するための手段】
【０００６】
本発明のチェーンは、リンク部品をチェーン長手方向に複数並べて成るリンク列をチェーン幅方向に複数並べ、チェーン幅方向に隣接した前記リンク列同士をチェーン長手方向に半ピッチずらして配置したチェーンであって、前記複数のリンク部品は、第１リンク部品を含み、前記第１リンク部品は、プレート部と、前記プレート部のチェーン幅方向の一側面から突出するピン部と、前記ピン部からチェーン長手方向に離れた位置に形成され、前記プレート部の前記一側面側に開口する孔状または凹状のピン受け部とを一体に有し、チェーン幅方向に対向して配置された前記第１リンク部品同士は、一方の前記第１リンク部品の前記ピン受け部に他方の前記第１リンク部品の前記ピン部を挿入することで互いに回動可能に連結されていることにより、前記課題を解決するものである。
本発明のチェーン用のリンク部品は、プレート部と、前記プレート部のプレート厚み方向の一側面から突出するピン部と、前記プレート部の前記一側面側に開口する孔状または凹状のピン受け部とを一体に有していることにより、前記課題を解決するものである。
【発明の効果】
【０００７】
本請求項１、９に係る発明によれば、複数のリンク部品が第１リンク部品を含み、第１リンク部品が、プレート部と、プレート部のチェーン幅方向の一側面から突出するピン部と、ピン部からチェーン長手方向に離れた位置に形成され、前記プレート部の前記一側面側に開口する孔状または凹状のピン受け部とを一体に有し、チェーン幅方向に対向して配置された第１リンク部品同士が、一方の第１リンク部品のピン受け部に他方の第１リンク部品のピン部を挿入することで互いに回動可能に連結されていることにより、第１リンク部品に一体に形成されたピン部を利用して第１リンク部品同士を連結することが可能であり、各リンク部品を連結するための連結ピンが不要になるため、１種類の第１リンク部品のみからでもチェーンを構成することができる等、チェーン構成部品の種類数を低減できるとともに、チェーン構成を簡素化でき、チェーン製造コストを低減することができる。
また、ピン受け部に他の第１リンク部品のピン部を挿入するという簡単な作業で第１リンク部品間を連結することが可能であるため、チェーンの分解・再組立やリンク部品の交換が簡単であり、チェーン幅方向におけるリンク部品の列数やチェーン長手方向におけるチェーンの長さ等、チェーン構成を使用状況に応じて容易に変更することができる。
また、ピン部を形成したプレート部の一側面側に、ピン受け部を形成し、チェーン幅方向に対向して配置された第１リンク部品同士を、一方の第１リンク部品のピン受け部に他方の第１リンク部品のピン部を挿入することで連結する構成を採用することにより、プレート部を平板状に形成することが可能であるため、通常のサイレントチェーンやローラチェーン等と同様にチェーンを設計することができ、また、通常のスプロケットを使用することができる等、チェーン周辺環境についても設計変更を必要としない。
【０００８】
本請求項２に係る発明によれば、ピン部に、他のリンク部品に係合可能な抜け止め部が形成されていることにより、当該抜け止め部をチェーン幅方向に並べられた他のリンク部品に係合させることで、リンク部品間をチェーン幅方向に連結することができる。
本請求項３に係る発明によれば、第１リンク部品の少なくとも一部が、チェーン高さ方向におけるプレート部の上端縁および下端縁の両側に、スプロケット歯に噛み合い可能なリンク歯を有していることにより、リンク歯を利用してスプロケット歯にチェーンを噛み合わせることができるばかりでなく、リンク歯をプレート部の上端縁および下端縁の両側に形成することで、リンク歯を有した同一形状の第１リンク部品のみによってチェーンを構成することもできる。
本請求項４に係る発明によれば、第１リンク部品が、プレート部の一側面においてピン受け部の外周縁から突出する円筒部を一体に有し、円筒部が、チェーン幅方向に対向して配置された第１リンク部品のピン部に遊嵌状態で外嵌されることにより、円筒部によってチェーン幅方向における第１リンク部品間の間隔を規定することができるばかりでなく、ピン部の軸受部やスプロケット歯との噛合部として円筒部を機能させることができるため、ピン部の摩耗を低減するとともに、スプロケットとの噛み合いを円滑にすることができる。
本請求項５に係る発明によれば、第１リンク部品とは別体に形成されピン部に遊嵌状態で外嵌される円筒部品を更に備えることにより、円筒部品によってチェーン幅方向における第１リンク部品間の間隔を規定することができるばかりでなく、スプロケット歯と噛み合うローラとして円筒部品を機能させることができるため、スプロケットとの噛み合いを円滑にすることができる。
本請求項６に係る発明によれば、第１リンク部品が、チェーン幅方向に対向して配置された第１リンク部品のプレート部に接触してプレート部間の間隔を規定する位置決め部を、ピン部の外周に一体に有していることにより、位置決め部によってチェーン幅方向における第１リンク部品間の間隔を規定し、チェーン幅方向においてプレート部間に位置するピン部等をスプロケット歯との噛合部として機能させることができる。
本請求項７に係る発明によれば、第１リンク部品が、プレート部のチェーン幅方向の他側面側に開口する凹状の裏側ピン受け部を、チェーン幅方向に見た場合にピン部に重なる位置に有していることにより、裏側ピン受け部を利用してチェーン幅方向にリンク部品を連結することが可能であるため、チェーン幅方向にリンク部品を３つ以上並べて連結することができる。
本請求項８に係る発明によれば、リンク部品に含まれる第２リンク部品が、プレート部と、プレート部のチェーン幅方向の一側面から突出するピン部と、ピン部からチェーン長手方向に離れた位置に形成され、前記プレート部の前記一側面側に開口する孔状または凹状のピン受け部とを一体に有し、第２リンク部品のピン部が、第１リンク部品の裏側ピン受け部に挿入されることにより、第１リンク部品のチェーン幅方向の他側面側に第２リンク部品を連結することで、チェーン幅方向に並べるリンク部品の数量を調整することが可能であるため、チェーン強度等の設計自由度を向上させることができる。
【図面の簡単な説明】
【０００９】
【図１】本発明の第１実施形態に係るチェーンを示す斜視図。
【図２】本発明の第１実施形態に係るチェーンを示す斜視断面図。
【図３】本発明の第１実施形態の変形例に係るチェーンを示す斜視図。
【図４】本発明の第１実施形態の変形例に係るチェーンを示す斜視断面図。
【図５】本発明の第２実施形態に係るチェーンを示す斜視図。
【図６】本発明の第２実施形態に係るチェーンを示す斜視断面図。
【図７】本発明の第２実施形態の変形例に係るチェーンを示す斜視図。
【図８】本発明の第２実施形態の変形例に係るチェーンを示す斜視断面図。
【図９】本発明の第３実施形態に係るチェーンを示す斜視図。
【図１０】本発明の第３実施形態に係るチェーンを示す斜視断面図。
【図１１】本発明の第３実施形態の変形例に係るチェーンを示す斜視図。
【図１２】本発明の第３実施形態の変形例に係るチェーンを示す斜視断面図。
【図１３】本発明の第４実施形態に係るチェーンを示す斜視図。
【図１４】本発明の第４実施形態に係るチェーンを示す斜視断面図。
【図１５】本発明の第４実施形態の変形例に係るチェーンを示す斜視図。
【図１６】本発明の第４実施形態の変形例に係るチェーンを示す斜視断面図。
【発明を実施するための形態】
【００１０】
以下に、本発明の第１実施形態に係るチェーン１００について、図１〜図４に基づいて説明する。
【００１１】
チェーン１００は、図１や図２に示すように、第１リンク部品１１０をチェーン長手方向に複数並べて成るリンク列をチェーン幅方向に２列並べ、チェーン幅方向に隣接したリンク列同士をチェーン長手方向に半ピッチずらして配置し、チェーン幅方向に対向した第１リンク部品１１０同士を互いに回動可能に連結することによって、チェーン全体として屈曲可能に構成されたものである。
【００１２】
第１実施形態では、チェーン１００を構成する全ての第１リンク部品１１０が同一に構成されており、各第１リンク部品１１０は、図１や図２に示すように、平板状のプレート部１１１と、プレート部１１１のチェーン幅方向（プレート厚み方向）の一側面から突出する円柱状のピン部１１２と、ピン部１１２からチェーン長手方向に離れた位置に形成され、プレート部１１１をチェーン幅方向に貫通する丸孔状のピン受け部１１３とを一体に有している（すなわち、一体形成されている）。
【００１３】
ピン部１１２を形成したプレート部１１１の一側面側が向かい合うように、チェーン幅方向に対向して配置された第１リンク部品１１０同士は、図１や図２に示すように、一方の第１リンク部品１１０のピン受け部１１３に他方の第１リンク部品１１０のピン部１１２を挿入することで互いに回動可能に連結されている。
【００１４】
ピン部１１２の先端には、図１や図２に示すように、チェーン幅方向に対向する第１リンク部品１１０の他側面に係合可能なフランジ状の抜け止め部１１２ａが形成されており、これにより、チェーン幅方向に対向する第１リンク部品１１０同士をチェーン幅方向に連結することができる。なお、抜け止め部１１２ａの具体的態様については、フランジ状に限定されず、他のリンク部品に係合可能なものであれば如何なるものでもよい。
【００１５】
各第１リンク部品１１０は、図１や図２に示すように、チェーン高さ方向におけるプレート部１１１の上端縁および下端縁の両側に、スプロケット歯（図示しない）に噛み合い可能なリンク歯１１４が形成されている。
【００１６】
なお、第１実施形態では、図１や図２に示すように、プレート部１１１の各上端縁および下端縁の中央部に、それぞれ１つのリンク歯１１４が形成されているが、図３や図４に示す変形例のように、プレート部１１１の各上端縁および下端縁に、それぞれ２つのリンク歯１１４を形成してもよい。
また、第１実施形態では、全ての第１リンク部品１１０にリンク歯１１４を形成したが、一部の第１リンク部品１１０のみにリンク歯１１４を形成してもよい。
【００１７】
図１や図２に示す例および図３や図４に示す例に共通して、リンク歯１１４を含むプレート部１１１は、チェーン幅方向に見た場合に、上下対称および左右対称に形成されている。
【００１８】
次に、本発明の第２実施形態に係るチェーン２００について、図５〜図８に基づいて説明する。ここで、第２実施形態では、一部構成については、前述した第１実施形態と全く同じである。そのため、第１実施形態に関する明細書および図面に示す１００番台の符号を２００番台の符号に読み替えることによって、相違点以外の構成については、その説明を省略する。
【００１９】
第２実施形態のチェーン２００では、図５や図６に示すように、各第１リンク部品２１０が、プレート部２１１の一側面においてピン受け部２１３の外周縁から突出する円筒部２１５を一体に有している。これら円筒部２１５は、チェーン幅方向に対向して配置された第１リンク部品２１０のピン部２１２に遊嵌状態で外嵌される。
【００２０】
なお、図５や図６に示す例では、円筒部２１５が、第１リンク部品２１０に一体に形成されているが、図７や図８に示す変形例のように、円筒部（円筒部品）２１５を第１リンク部品２１０とは別体に形成し、各ピン部２１２に遊嵌状態で外嵌してもよい。
【００２１】
そして、図５や図６に示す例および図７や図８に示す例に共通して、円筒部２１５が、スプロケット歯と噛み合う部位として機能し、第１実施形態におけるリンク歯１１４が形成されていない。
【００２２】
次に、本発明の第３実施形態に係るチェーン３００について、図９〜図１２に基づいて説明する。ここで、第３実施形態では、一部構成については、前述した第１実施形態と全く同じである。そのため、第１実施形態に関する明細書および図面に示す１００番台の符号を３００番台の符号に読み替えることによって、相違点以外の構成については、その説明を省略する。
【００２３】
第３実施形態のチェーン３００では、図９や図１０に示すように、各第１リンク部品３１０が、チェーン幅方向に対向するプレート部３１１間の間隔を規定する位置決め部３１２ｂを、ピン部３１２の外周に一体に有している。これら位置決め部３１２ｂは、チェーン幅方向に対向して配置された第１リンク部品３１０のプレート部３１１に接触して、チェーン幅方向に対向するプレート部３１１間の間隔を規定する。
【００２４】
なお、図９や図１０に示す例では、ピン部３１２のピン長手方向の中間部に、リング状の位置決め部３１２ｂを形成したが、位置決め部３１２ｂの具体的態様は如何なるものでもよく、例えば、図１１や図１２に示す変形例のように、ピン部３１２のピン長手方向の中間部からプレート部３１１に亘って形成された円筒状に、位置決め部３１２ｂを構成してもよい。
【００２５】
また、図９や図１０に示す例では、ピン部３１２が、スプロケット歯と噛み合う部位として機能し、図１１や図１２に示す例では、円筒状の位置決め部３１２ｂが、スプロケット歯と噛み合う部位として機能し、第１実施形態におけるリンク歯１１４が形成されていない。
【００２６】
次に、本発明の第４実施形態に係るチェーン４００について、図１３〜図１４に基づいて説明する。ここで、第４実施形態では、一部構成については、前述した第１実施形態と全く同じである。そのため、第１実施形態に関する明細書および図面に示す１００番台の符号を４００番台の符号に読み替えることによって、相違点以外の構成については、その説明を省略する。
【００２７】
まず、第１実施形態では、チェーン１００を構成する全ての第１リンク部品１１０が同一形状で構成されていたが、第４実施形態に係るチェーン４００では、２種類の第１リンク部品４１０Ａ、Ｂが使用されている。
これら２種類の第１リンク部品４１０Ａ、Ｂは、プレート部４１１と、ピン部４１２と、ピン受け部４１３と、チェーン高さ方向におけるプレート部４１１の一方の端縁のみに形成されたリンク歯４１４とを有し、第１リンク部品４１０Ａと第１リンク部品４１０Ｂとは、チェーン長手方向およびチェーン高さ方向によって規定される面を基準として面対称に形成されている。
【００２８】
チェーン４００では、第１リンク部品４１０Ａをチェーン長手方向に並べた複数（２つ）のリンク列と、第１リンク部品４１０Ｂをチェーン長手方向に並べた複数（２つ）のリンク列とを、チェーン長手方向に半ピッチずらして、チェーン幅方向に交互に配置している。
【００２９】
また、各第１リンク部品４１０Ａ、Ｂは、プレート部４１１のチェーン幅方向の他側面側に開口する裏側ピン受け部４１６を、チェーン幅方向に見た場合にピン部４１２に重なる位置に有している。これら裏側ピン受け部４１６は、チェーン幅方向の同じ列に配置された同種の第１リンク部品４１０Ａ、Ｂのピン部４１２を受け入れるものであり、これにより、第１リンク部品４１０Ａ、Ｂの他側面側に他の第１リンク部品４１０Ａ、Ｂを連結することができる。
【００３０】
次に、本発明の第４実施形態に係るチェーン４００の変形例について、図１５〜図１６に基づいて説明する。以下では、第４実施形態に係るチェーン４００との相違点についてのみ説明する。
【００３１】
第４実施形態の変形例であるチェーン４００では、上述した第１リンク部品４１０Ａ、Ｂに加えて、チェーン幅方向の両外側に配置される第２リンク部品４２０を有している。各第２リンク部品４２０は、チェーン幅方向に対向する第１リンク部品４１０Ａ、Ｂに対して、チェーン長手方向に半ピッチずらして配置される。
【００３２】
第２リンク部品４２０は、平板状のプレート部４２１と、プレート部４２１のチェーン幅方向の一側面から突出する円柱状のピン部４２２と、ピン部４２２からチェーン長手方向に離れた位置に形成され、プレート部４２１をチェーン幅方向に貫通する丸孔状のピン受け部４２３とを一体に有している。ピン部４２２の先端には、フランジ状の抜け止め部４２２ａが形成されている。
【００３３】
第２リンク部品４２０には、リンク歯が形成されておらず、スプロケット歯の幅方向外側に配置される所謂ガイドプレートとして機能する。なお、第２リンク部品４２０にも、スプロケット歯に噛み合い可能なリンク歯を形成してもよい。
【００３４】
第２リンク部品４２０のピン部４２２は、チェーン幅方向に対向する第１リンク部品４１０Ａ、Ｂの裏側ピン受け部４１６に挿入され、これにより、第２リンク部品４２０は、チェーン幅方向に対向する第１リンク部品４１０Ａ、Ｂに連結される。
【００３５】
以上、本発明の実施形態を詳述したが、本発明は上記実施形態に限定されるものではなく、特許請求の範囲に記載された本発明を逸脱することなく種々の設計変更を行なうことが可能である。
【００３６】
例えば、第１リンク部品等のチェーン構成部材の材質は、弾性、摩擦抵抗、剛性、耐久性、成形性、コスト等に諸条件に応じて公知の適宜のものを選択すればよく、特に、合成樹脂材料が好適である。
また、上述した実施形態では、ピン受け部がチェーン幅方向に貫通する孔状に形成されるものとして説明したが、ピン受け部の具体的態様は、プレート部の一側面側に開口する孔状または凹状に形成され、対向する第１リンク部品のピン部をプレート部の一側面側から挿入させるものであれば如何なるものでもよく、例えば、プレート部の一側面を凹設したものであってもよい。
また、上述した各実施形態や各変形例の各構成を任意に組み合わせて、チェーンを構成しても何ら構わない。
【符号の説明】
【００３７】
１００、  ２００、  ３００、  ４００    ・・・  チェーン
１１０、  ２１０、  ３１０、            ・・・  第１リンク部品（リンク部品）
４１０Ａ  ・・・  第１リンク部品（リンク部品）
４１０Ｂ  ・・・  第１リンク部品（リンク部品）
１１１、  ２１１、  ３１１、  ４１１    ・・・  プレート部
１１２、  ２１２、  ３１２、  ４１２    ・・・  ピン部
１１２ａ、２１２ａ、３１２ａ、４１２ａ  ・・・  抜け止め部
３１２ｂ            ・・・  位置決め部
１１３、  ２１３、  ３１３、  ４１３    ・・・  ピン受け部
１１４、                      ４１４    ・・・  リンク歯
２１５                        ・・・  円筒部（円筒部品）
４１６    ・・・  裏側ピン受け部
４２０    ・・・  第２リンク部品（リンク部品）
４２１    ・・・  プレート部
４２２    ・・・  ピン部
４２２ａ  ・・・  抜け止め部
４２３    ・・・  ピン受け部
【図１】
2016205505.tif 000003
【図２】
2016205505.tif 000004
【図３】
2016205505.tif 000005
【図４】
2016205505.tif 000006
【図５】
2016205505.tif 000007
【図６】
2016205505.tif 000008
【図７】
2016205505.tif 000009
【図８】
2016205505.tif 000010
【図９】
2016205505.tif 000011
【図１０】
2016205505.tif 000012
【図１１】
2016205505.tif 000013
【図１２】
2016205505.tif 000014
【図１３】
2016205505.tif 000015
【図１４】
2016205505.tif 000016
【図１５】
2016205505.tif 000017
【図１６】
2016205505.tif 000018